(57)【特許請求の範囲】
【請求項１】
室内に配設された室内端末装置、および来訪者の画像を前記室内端末装置に送信するとともに前記室内端末装置との間で通話を行なうことができる来訪者端末装置とからなる撮像装置付きインターホンと、前記撮像装置付きインターホンおよび携帯通信端末装置の間で画像通信の中継を行なうサーバ装置とを備え、前記撮像装置付きインターホンが、来訪者の画像を撮像する撮像手段と、居住者が不在である不在モードを設定する不在設定手段と、前記不在設定手段により不在モードに設定されて来訪者があったときに、前記撮像手段が撮像した来訪者の画像を出力する画像出力手段と、音声の入出力を行なう音声入出力手段と、前記携帯通信端末装置との間で通話を行なう通話手段とを備え、前記サーバ装置が、前記画像出力手段から画像が入力されたときに、前記携帯通信端末装置との間で交換機を通してＩＳＰにダイヤルアップ接続することによる第１の伝送路を介して回線を確立し、前記携帯通信端末装置に来訪者の来訪を通知する来訪者通知手段と、前記携帯通信端末装置から画像要求通知が行なわれたことを検出する画像要求検出手段と、前記画像要求検出手段で検出された前記画像要求通知により、前記来訪者の画像に回線切断用の画像および前記撮像装置付きインターホンの電話番号の画像を合成して送信する画像送信手段と、前記携帯通信端末装置において前記回線切断用の画像がクリックされることにより送信される回線切断要求信号を検出する回線切断要求検出手段と、前記回線切断要求信号を受信したときに前記第１の伝送路を介した回線を切断する回線切断手段とを備え、前記回線切断手段によって回線が切断された後、前記携帯通信端末装置において前記電話番号が選択されることにより、前記携帯通信端末装置と前記撮像装置付きインターホンの前記来訪者端末装置との間で前記ＩＳＰを経由せずに交換機を経由する第２の伝送路を介して回線を確立することを特徴とする撮像装置付きインターホンシステム。
【請求項２】
前記回線切断手段は、前記来訪者通知手段によって来訪者の来訪を通知したときに、所定時間経過しても前記画像要求検出手段が画像要求通知を受け付けないときに前記第１の伝送路を介した回線を切断することを特徴とする請求項１に記載の撮像装置付きインターホンシステム。
【請求項３】
室内に配設された室内端末装置、および来訪者の画像を前記室内端末装置に送信するとともに前記室内端末装置との間で通話を行なうことができる来訪者端末装置とを有する撮像装置付きインターホンと、サーバ装置を中継して画像通信を行う携帯通信端末装置との通信方法であって、前記来訪者端末装置の呼出し操作が行なわれたときに、来訪者の画像を撮像する撮像手順と、前記室内に居住者が不在である場合、前記画像をサーバ装置に出力する画像出力手順と、前記サーバ装置に画像が入力されたとき、前記携帯通信端末装置との間で交換機を通してＩＳＰにダイヤルアップ接続することによる第１の伝送路を介して回線を確立し、前記携帯通信端末装置に来訪者の来訪を通知する来訪者通知手順と、前記携帯通信端末装置から画像要求通知が行なわれたことを検出する画像要求検出手順と、前記画像要求通知が行なわれたときに、前記来訪者の画像に回線切断用の画像および前記撮像装置付きインターホンの電話番号の画像を合成して送信する画像送信手順と、前記携帯通信端末装置において前記回線切断用の画像がクリックされることにより送信される回線切断要求信号を検出する回線切断要求検出手順と、前記回線切断要求信号を受信したときに前記第１の伝送路を介した回線を切断する回線切断手順と、回線切断後、前記携帯通信端末装置において前記電話番号が選択されることにより前記携帯通信端末装置と来訪者端末装置との間で前記ＩＳＰを経由せずに交換機を経由する第２の伝送路を介して回線を確立する回線確立手順とを含んでなることを特徴とする撮像装置付きインターホンと携帯通信端末装置の通信方法。
【請求項４】
前記回線切断手順では、前記来訪者通知手順において来訪者の来訪を通知したときに、所定時間経過しても前記画像要求検出手順において画像要求通知を受け付けないときに前記第１の伝送路を介した回線を切断することを特徴とする請求項３に記載の撮像装置付きインターホンと携帯通信端末装置の通信方法。
【請求項５】
前記来訪者通知手順では、前記第１の伝送路を介して回線が確立されたときに、前記サーバ装置から前記携帯通信端末装置に対してＵＲＬが貼付された来訪者の来訪通知による画像取得を知らせる電子メールを送信することを特徴とする請求項３、４に記載の撮像装置付きインターホンと携帯通信端末装置の通信方法。
【請求項６】
撮像装置付きインターホンの不在モード設定時に前記撮像装置付きインターホンが撮像した来訪者の画像をサーバ装置を中継して受信する携帯通信端末装置であって、前記サーバ装置から送られる来訪者の来訪を通知する信号を検出する来訪者通知検出手段と、前記サーバ装置に対して画像要求通知を行なう画像要求通知手段と、前記画像要求通知後に前記サーバ装置から交換機を通してＩＳＰにダイヤルアップ接続することによる前記第１の伝送路を介して送信された来訪者の画像に回線切断用の画像および前記撮像装置付きインターホンの電話番号が合成された画像を取込む画像取込み手段と、前記画像取込み手段によって取込まれた回線切断用の画像および電話番号が合成された来訪者の画像を表示する表示手段と、前記回線切断用の画像を選択することにより前記サーバ装置に切断要求通知信号を通知する切断要求通知手段を備え、前記電話番号を選択することにより、前記ＩＳＰを経由せずに交換機を経由する第２の伝送路を介して前記撮像装置付きインターホンを呼び出し可能なことを特徴とする携帯通信端末装置。
【発明の詳細な説明】
【０００１】
【発明の属する技術分野】
本発明は、住宅の玄関等に設置された来訪者端末装置を有し、居住者が不在のときに携帯電話等の携帯通信端末装置と来訪者端末装置との間で画像を確認して会話を行なうことができるようにした撮像装置付きインターホンシステム、撮像装置付きインターホンと携帯通信端末装置の通信方法および携帯通信端末装置に関する。
【０００２】
【従来の技術】
近時、住宅の玄関には玄関ドアを開けずに来訪者の画像を確認し、来訪者と居住者との間で通話を行なうことができる撮像装置付きのインターホンが普及している。ところで、居住者が外出等によって不在の場合には、来訪者とのコミニュケーションがとれないため、種々の不具合が発生する。
【０００３】
近時では、インターネット等のネットワークの発達、携帯電話機やパーソナルコンピュータ等の携帯通信端末装置の普及によって外出によって居住者が来訪者の呼出しに応じられない場合であっても、携帯通信端末装置あるいは外出先の電話等を呼び出し、来訪者の音声を転送することにより、来訪者とリアルタイムでコミュニケーションを取れるようになっている。
【０００４】
このような撮像装置付きのインターホンシステムとしては、居住者の不在時に不在モードに設定されたとき、インターホンに来訪者の画像を取込んで、インターネット対応文字情報サービスを利用可能な携帯通信端末装置にメール等で来訪者があることを知らせると、携帯通信端末装置から任意のＵＲＬにアクセスしてパケット通信により画像を取込んで携帯通信端末装置の画面に画像を表示して来訪者を確認することができる。また、電話回線にてインターホンから外出先に発呼して来訪者とリアルタイムで通話を行なうことができる。
【０００５】
【発明が解決しようとする課題】
しかしながら、このような従来のインターホンシステムでは、パケット通信によって画像を取込んでインターネット対応文字情報サービスを受けている間には、音声によるデータの遣り取りを行なうことができないため、一旦回線を切断してパケット通信を一旦終了した後、インターホンの電話番号をダイヤル、あるいは短縮番号登録や電話帳登録している場合に電話番号の検索する面倒な作業を行なわなければならず、インターホンの電話番号をダイヤルして通話に至るまでに時間を要してしまい、来訪者と直ちにコミニュケーションを取ることができなかった。
【０００６】
また、電子メールで不在モードを知らせた後に、来訪者の画像を確認しないでそのままでいると、回線がインターネットに接続されたままの状態になるため、インターネットの接続料金が加算されてしまうという問題があった。
【０００７】
本発明は、上記従来の問題を解決するためのものであり、インターネットの接続料金が加算されるのを防止することができる利便性の高い撮像装置付きインターホンシステム、撮像装置付きインターホンと携帯通信端末装置の通信方法および携帯通信端末装置を提供することを目的としている。
【０００８】
本発明の撮像装置付きインターホンシステムは、室内に配設された室内端末装置、および来訪者の画像を前記室内端末装置に送信するとともに前記室内端末装置との間で通話を行なうことができる来訪者端末装置とからなる撮像装置付きインターホンと、前記撮像装置付きインターホンおよび携帯通信端末装置の間で画像通信の中継を行なうサーバ装置とを備え、前記撮像装置付きインターホンが、来訪者の画像を撮像する撮像手段と、居住者が不在である不在モードを設定する不在設定手段と、前記不在設定手段により不在モードに設定されて来訪者があったときに、前記撮像手段が撮像した来訪者の画像を出力する画像出力手段と、音声の入出力を行なう音声入出力手段と、前記携帯通信端末装置との間で通話を行なう通話手段とを備え、前記サーバ装置が、前記画像出力手段から画像が入力されたときに、前記携帯通信端末装置との間で交換機を通してＩＳＰにダイヤルアップ接続することによる第１の伝送路を介して回線を確立し、前記携帯通信端末装置に来訪者の来訪を通知する来訪者通知手段と、前記携帯通信端末装置から画像要求通知が行なわれたことを検出する画像要求検出手段と、前記画像要求検出手段で検出された前記画像要求通知により、前記来訪者の画像に回線切断用の画像および前記撮像装置付きインターホンの電話番号の画像を合成して送信する画像送信手段と、前記携帯通信端末装置において前記回線切断用の画像がクリックされることにより送信される回線切断要求信号を検出する回線切断要求検出手段と、前記回線切断要求信号を受信したときに前記第１の伝送路を介した回線を切断する回線切断手段とを備え、前記回線切断手段によって回線が切断された後、前記携帯通信端末装置において前記電話番号が選択されることにより、前記携帯通信端末装置と前記撮像装置付きインターホンの前記来訪者端末装置との間で前記ＩＳＰを経由せずに交換機を経由する第２の伝送路を介して回線を確立するように構成される。
【００１３】
このような構成により、住宅や事務所等の建物の居住者の不在時に、来訪者端末装置から来訪者の来訪情報を第１の伝送路を介して携帯通信端末装置に通知した後、携帯通信端末装置からの画像要求通知に基づいて来訪者の画像を送信し、携帯通信端末装置の表示部に表示された回線切断用の画像を選択することにより、携帯通信端末装置から送信される回線切断要求信号を検出した時点で回線を切断し、回線の切断後に、表示部に表示された来訪者端末装置の電話番号を携帯通信端末装置で選択することにより携帯通信端末装置から着信があったときに第２の伝送路を介した回線を確立するようにしたため、来訪者を画像で確認した後、簡単な操作で来訪者端末装置と通話を行なうことができる。
【００１４】
また、画像の確認後に簡単な操作で第１の伝送路を介した回線を切断することができるため、インターネット等の接続料金が加算されるのを防止することができる。
【００１５】
この結果、利便性の高い撮像装置付きインターホンシステムを提供することができる。
【００１６】
本発明の撮像装置付きインターホンシステムは、前記回線切断手段は、前記来訪者通知手段によって来訪者の来訪を通知したときに、所定時間経過しても前記画像要求検出手段が画像要求通知を受け付けないときに前記第１の伝送路を介した回線を切断するように構成される。
【００１７】
このような構成により、電子メールの送信後に、何等かの理由によって携帯通信端末装置のユーザが画像を確認しなかった場合に、第１の伝送路を介した回線を切断することができるため、インターネット等の接続料金が不要に加算されるのを防止することができる。
【００２１】
本発明の撮像装置付きインターホンと携帯通信端末装置の通信方法は、室内に配設された室内端末装置、および来訪者の画像を前記室内端末装置に送信するとともに前記室内端末装置との間で通話を行なうことができる来訪者端末装置とを有する撮像装置付きインターホンと、サーバ装置を中継して画像通信を行う携帯通信端末装置との通信方法であって、前記来訪者端末装置の呼出し操作が行なわれたときに、来訪者の画像を撮像する撮像手順と、前記室内に居住者が不在である場合、前記画像をサーバ装置に出力する画像出力手順と、前記サーバ装置に画像が入力されたとき、前記携帯通信端末装置との間で交換機を通してＩＳＰにダイヤルアップ接続することによる第１の伝送路を介して回線を確立し、前記携帯通信端末装置に来訪者の来訪を通知する来訪者通知手順と、前記携帯通信端末装置から画像要求通知が行なわれたことを検出する画像要求検出手順と、前記画像要求通知が行なわれたときに、前記来訪者の画像に回線切断用の画像および前記撮像装置付きインターホンの電話番号の画像を合成して送信する画像送信手順と、前記携帯通信端末装置において前記回線切断用の画像がクリックされることにより送信される回線切断要求信号を検出する回線切断要求検出手順と、前記回線切断要求信号を受信したときに前記第１の伝送路を介した回線を切断する回線切断手順と、回線切断後、前記携帯通信端末装置において前記電話番号が選択されることにより前記携帯通信端末装置と来訪者端末装置との間で前記ＩＳＰを経由せずに交換機を経由する第２の伝送路を介して回線を確立する回線確立手順とを含んでなる。
【００２２】
このような方法により、簡単な操作で来訪者端末装置と通話を行なうことができるとともに、簡単な操作で強制的に第１の伝送路を介した回線を切断してインターネット等の接続料金が加算されるのを防止することができるため、利便性の高い撮像装置付きインターホンと携帯通信端末装置の通信方法を提供することができる。
【００２３】
本発明の撮像装置付きインターホンと携帯通信端末装置の通信方法は、前記回線切断手順では、前記来訪者通知手順において来訪者の来訪を通知したときに、所定時間経過しても前記画像要求通知手順において画像要求通知を受け付けないときに前記第１の伝送路を介した回線を切断する。
【００２４】
このような方法により、何等かの理由によって携帯通信端末装置のユーザが画像を確認しなかった場合に、第１の伝送路を介した回線を切断することができ、インターネット等の接続料金が不要に加算されるのを防止することができる。
【００２５】
本発明の撮像装置付きインターホンと携帯通信端末装置の通信方法は、前記来訪者通知手順では、前記第１の伝送路を介して回線が確立されたときに、前記サーバ装置から携帯通信端末装置にＵＲＬが貼付された来訪者の来訪通知による画像取得を知らせる電子メールを送信する。
【００２６】
このような方法により、来訪者端末装置から携帯通信端末装置に来訪者の来訪通知を電子メールによって確実に知らせることができるとともに、携帯通信端末装置のユーザが画像が置いてあるアドレスを簡単に認識して画像要求を行なうことができる。
【００３１】
本発明の携帯通信端末装置は、撮像装置付きインターホンの不在モード設定時に前記撮像装置付きインターホンが撮像した来訪者の画像をサーバ装置を中継して受信する携帯通信端末装置であって、前記サーバ装置から送られる来訪者の来訪を通知する信号を検出する来訪者通知検出手段と、前記サーバ装置に対して画像要求通知を行なう画像要求通知手段と、前記画像要求通知後に前記サーバ装置から交換機を通してＩＳＰにダイヤルアップ接続することによる前記第１の伝送路を介して送信された来訪者の画像に回線切断用の画像および前記撮像装置付きインターホンの電話番号が合成された画像を取込む画像取込み手段と、前記画像取込み手段によって取込まれた回線切断用の画像および電話番号が合成された来訪者の画像を表示する表示手段と、前記回線切断用の画像を選択することにより前記サーバ装置に切断要求通知信号を通知する切断要求通知手段を備え、前記電話番号を選択することにより、前記ＩＳＰを経由せずに交換機を経由する第２の伝送路を介して前記撮像装置付きインターホンを呼び出し可能なように構成される。
【００３２】
このような構成により、来訪者の確認後に表示部に表示された回線切断用の画像を選択することで回線を簡単に切断することができ、来訪者と会話を行ないたいときに来訪者端末装置を呼び出すことができるため、簡単な操作で来訪者端末装置を通して来訪者と通話を行なうことができ、利便性の高い携帯通信端末装置を提供することができる。
【００３３】
また、来訪者の確認後に来訪者と会話を行なう必要がない場合には、表示部に表示された回線切断用の画像を選択することで回線を簡単に切断することができるため、インターネットの接続料金が加算されるのを防止することができる。
【００３６】
【発明の実施の形態】
以下、本発明の実施形態に基づいて説明する。
【００３７】
図１〜図６は本発明に係る撮像装置付きインターホンシステム、撮像装置付きインターホンと携帯通信端末装置の通信方法および携帯通信端末装置の第１実施形態を示す図である。
【００３８】
まず、構成を説明する。図１は、インターホンシステムのシステム構成図であり、個人住宅や事務所等の建物（以下、単に住宅という）１に設けられた来訪者端末装置としての撮像装置付きインターホン（以下、単にカメラドアホンという）２はＬＡＮ（Local Area Network）等を介してホームサーバ装置（以下、単にサーバ装置という）３に接続されており、サーバ装置３は公衆電話回線網を介してＮＴＴ等の交換機４に接続されている。交換機４は公衆電話回線網を介してインターネットサービスプロバイダ（以下、単にＩＳＰという）５に接続されており、このＩＳＰ５はインターネットにより文字、画像情報サービスを提供するサービスセンタ（例えば、ＮＴＴドコモグループが開発したｉモードサービスを提供するサービスセンター等）６に接続されている。
【００３９】
このサービスセンタ６は公衆電話回線網を介して図示しない中継局に接続されており、中継局を通して携帯通信端末装置としての携帯電話７と回線が接続されるようになっている。
【００４０】
次に、図２に基づいてカメラドアホン２の構成を説明する。
【００４１】
カメラドアホン２は住宅１の玄関に設けられた子機（来訪者端末装置）11と居間等に設けられた親機（室内端末装置）12とから構成されている。
【００４２】
子機11は、来訪者の画像を撮像するカメラ11ａ、来訪者に音声を出力するスピーカ11ｂ、来訪者の音声を検出するマイク11ｃ、カメラ11ａから出力される画像データを変調する変調回路11ｄ、スピーカー11ｂおよびマイク11ｃの音声信号をそれぞれ変調、復調する通話回路11ｅから構成されている。また、カメラ11ａは、来訪者が子機12の近傍に来て来訪者が所定の場所に立ったときに撮像を開始するようになっている。
【００４３】
親機12は、カメラインターフェース15、映像系回路16、音声系回路17、操作部23およびＣＰＵ24から構成されている。
【００４４】
カメラインターフェース15は子機11に給電する給電回路15ａ、子機11からの画像信号を検出する映像回路15ｂ、子機11との間で音声信号の遣り取りを行なう通話回路15ｃから構成されている。
【００４５】
映像系回路16は、カメラインターフェース15の映像回路15ｂから出力される画像信号を変調する変調回路18と、画像データを圧縮・伸長処理する画像処理回路19と、復調回路18で復調された画像データを表示するＬＣＤパネル20と、画像処理回路19で圧縮された画像信号を記憶するとともに、圧縮して記憶された画像データを画像処理回路19に出力するメモリ22と、復調された画像データを出力する画像インターフェース21とを備えている。
【００４６】
また、音声系回路１７は、レシーバ３１ａおよびマイク３１ｂを備えた受話器３１と、受話器３１と通話回路１５ｃとの間で音声データの遣り取りを行なうインターフェース２７と、子機１１がＯＮされたときの呼出音を発生させる呼出音発生回路２５と、呼出音の出力およびハンズフリーによる音声出力を行なうカードスピーカー３２と、マイク３３と、音声信号の入力により音声通話の開始を行なうボイススイッチ２６と、通話回路１５ｃと、カードスピーカー３２およびマイク３２の間で音声データの遣り取りを行なうインターフェース２８、２９と、後述するアナログ回線アダプタ１３との間で音声信号の遣り取りを行なうアダプタインターフェース３４とを備えている。
【００４７】
また、アダプタインターフェース34は制御回路34ａ、送話回路34ｂ、受話回路34ｃを備えている。
【００４８】
また、ＣＰＵ24は親機12全体を制御するものであり、上述した映像系回路16および音声系回路17を制御して子機11との間で画像データおよび音声データの遣り取りを行なうとともに、後述するサーバ装置との間で画像データおよび音声データの遣り取りを行なうようになっている。
【００４９】
また、操作部23は不在設定スイッチが設けられており、この不在設定スイッチが操作されると、ＣＰＵ24が親機12を不在モードに切換えるようになっている。
【００５０】
次に、図３に基づいてサーバ装置３の構成を説明する。サーバ装置３は、アナログ回線アダプタ13および画像送信装置14から構成されている。
【００５１】
アナログ回線アダプタ13は、親機インターフェース47を備えており、この親機インターフェース47はアダプタインターフェース34の制御回路34ａと制御信号の遣り取りを行なう制御回路47ａと、アダプタインターフェース34の送話回路34ｂから音声データを受信する送話回路47ｂと、アダプタインターフェース34の受話回路34ｃに音声信号を伝達する受話回路47ｃとから構成されている。すなわち、親機インターフェース47は親機12と音声信号の遣り取りを行なうものである。
【００５２】
また、アナログ回線アダプタ１３は、エコーキャンセラ、ボイススイッチの発生および自動利得制御（ＡＧＣ制御）を行なう音声処理部４６と、公衆電話回線網４１を介して交換機４に音声ガイダンスを送出する音声ガイダンス送出回路３６、公衆電話回線網４１を介して交換機４にＤＴＭＦ（ＤｕａｌＴｏｎｅＭｕｌｔｉＦｒｅｑｕｅｎｃｙ）信号を送出するＤＴＭＦ送出回路３５、２線−４線変換回路３８、公衆電話回線網４１からの着信を検出する着信検出回路３９、公衆電話回線網４１からのダイヤルトーン（ＤＴ）信号またはビジートーン（ＢＴ）信号を検出するＤＴ、ＢＴ検出回路４９、および公衆電話回線網４１からのＤＴＭＦ信号を検出するＤＴＭＦ検出回路８０を備えている。
【００５３】
また、アナログ回線アダプタ13は、室内に設置された電話機60と親機12との間で通話を行なうドアホン−電話機インターフェース48を備えており、このドアホン−電話機インターフェース48は親機インターフェース47の制御回路47ａと電話機60との間で制御信号の遣り取りを行なう制御回路48ａと、親機インターフェース47の送話回路47ｂから音声データを受信した電話機60に出力する送話回路47ｂと、電話機60から親機インターフェース47の受話回路47ｃに音声信号を伝達する受話回路48ｃとから構成されている。
【００５４】
また、アナログ回線アダプタ13は公衆電話回線網41または電話機60と親機12の間で回線が閉結されたことを検出するループ検出回路44と、公衆電話回線網41または電話機60の何れの回線が閉結されたかを検出する極性反転検出回路40と、電話機60からビジートーン信号を送出するＢＴ送出回路45とを備えている。
【００５５】
また、ＣＰＵ37はアナログ回線アダプタ13全体を制御するものであり、親機12を公衆電話回線網41に接続して音声データの遣り取りを行なうようになっている。
【００５６】
本実施形態では、カメラ11ａ、カメラインターフェース15が撮像手段を構成し、操作部23が不在設定手段を構成し、ＣＰＵ24、画像処理回路19および画像インターフェース21が画像出力手段を構成し、スピーカー11ｂ、マイク11ｃ、受話器31が音声入出力手段を構成している。
【００５７】
また、画像送信装置14は、画像インターフェース51、ＣＰＵ52、画像処理部53、データ蓄積部54、データ送出検出手段55、回線インターフェース56、モデム部57、通信制御部58、およびＩＰ接続制御手段59から構成されている。
【００５８】
回線インターフェース56は公衆電話回線網41を介して交換機４に接続されているとともに、インターネットを介してＩＳＰ５に接続されるようになっており、携帯電話との間でインターネット（第１の伝送路）を介して回線の確立および切断を行なうようになっている。
【００５９】
モデム部57は公衆電話回線網41から受信されるデータをアナログデータからデジタルデータに変換するとともに、公衆電話回線網41に送信されるデータをデジタルデータからアナログデータに変換するようになっている。
【００６０】
通信制御部58はインターネットを通してＩＳＰ５との間で所定のプロトコルを実行して通信を行なう通信制御部である。
【００６１】
画像インターフェース51は親機12の画像インターフェース21に接続されており、親機12が不在モードに設定されたときに、親機12から送信される画像を取入れるようになっている。この画像データは画像処理部53に転送され、画像処理部53でＧＩＦ形式に変換されてデータ蓄積部54に蓄積されるようになっている。
【００６２】
ＩＰ接続制御手段59は不在モードに設定されたときに、ＩＳＰ５と通信してＩＳＰ５のＩＰアドレスを貼付して携帯電話７に電子メールを送信するようになっている。
【００６３】
ＣＰＵ52は携帯電話７から画像要求を受け付けたときに指定されたＵＲＬにデータ蓄積部54に蓄積された来訪者の画像に親機12の電話番号（TELタグ）の画像を合成した画像を送信し、データ送出検出手段55によって画像の送信完了が検出されたときに、ＣＰＵ37にスイッチ50の切換え信号を出力してインターネットを介して回線を切断するようになっている。
【００６４】
すなわち、アナログ回線アダプタ13にはスイッチ50が設けられており、このスイッチ50は不在モードに設定されたときに、携帯電話７から画像要求を受け付けたときにＣＰＵ37の指令に基づいて回線インターフェース56を公衆電話回線網41に接続する位置に切換えられ、データ送出検出手段55によって画像の送信完了が検出されたときに、親機インターフェース47を公衆電話回線網41に接続する位置に切換えられるようになっている。
【００６５】
なお、本実施形態では、回線インターフェース５６、ＩＰ接続制御手段５９およびＣＰＵ５２が来訪者通知手段および回線切断手段を構成し、ＣＰＵ５２が携帯電話７から画像要求通知が行なわれたことを検出する画像要求検出手段を構成し、データ蓄積部５４および回線インターフェース５５が画像送信手段を構成する。
【００６６】
次に、図４に基づいて携帯電話７の構成を説明する。
【００６７】
携帯電話７は、ＲＦ（Radio Frequency）61、アンテナ62、音声通話用音声処理部63、Ａ／Ｄ変換器64、マイク65、Ｄ／Ａ変換器66、レシーバ67、パケット通信部69、ブラウザ70、表示部71、ＣＰＵ72、キーマトリックス73から構成されている。
【００６８】
ＲＦ61はアンテナ62を通して中継局との間で無線回線を確立するものであり、音声通話用音声処理部63はＡ／Ｄ変換器64を通してマイク65から出力される音声と、Ｄ／Ａ変換器66を通してレシーバ67から入力される音声信号を処理してＲＦ61を介して中継局との間で通話を行なうものである。
【００６９】
パケット通信部69はＵＲＬにアクセスしてサービスセンサ６にインターネット対応文字情報サービスの要求を行なったときに、文字や画像、電子メール等を受信するものであり、この受信データはブラウザ70で開かれて表示部71で表示されるようになっている。
【００７０】
また、表示部７１には親機１２からサービスセンタ６を介して送信される電子メールが表示されるようになっており、この電子メールの内容としては、例えば、「来訪者が来ました。次のＵＲＬにアクセスして下さい。ＵＲＬ：××××××」等が表示されるようになっている。
【００７１】
また、キーマトリックス73には携帯電話を操作するための通話ボタン等の各種キーが設けられており、本実施形態では、キーットリックス73によって上述した電子メールに貼付されたＵＲＬにアクセスすると、ＣＰＵ72が来訪者端末装置12に画像送信要求を行なうようになっている。
【００７２】
そして、画像送信装置14から受信した来訪者の画像、来訪者端末装置12のTELタグが合成された画像をパケット通信部69によって受信するようになっており、この画像は、ＣＰＵ72の指令によって来訪者の画像Ａおよび来訪者端末装置12のTELタグＢが合成された画像として表示部71に表示される（図５参照）。
【００７３】
また、キーマトリックス73によってTELタグＢがクリックされると、ＣＰＵ72はＲＦ61を制御して中継機および交換機４を通して来訪者端末装置12の電話インターフェース21を発呼し、来訪者端末装置12との間でインターネットを介さずに公衆電話網回線を確立し、マイク65およびレシーバ67によって来訪者端末装置12と通話を行なうようになっている。
【００７４】
本実施形態は、パケット通信部69が来訪者検出手段および画像取込み手段を構成し、表示部71が表示手段を構成し、ＣＰＵ72が画像要求通知手段を構成している。
【００７５】
次に、図６のシーケンスに基づいて本実施形態の通信方法を説明する。
【００７６】
図６において、まず、親機12の操作部23によって不在モードが設定されたときに、子機11のカメラ11ａが来訪者の画像を撮影すると、カメラインターフェース15に来訪者の画像を転送した後、この画像を画像インターフェース21から画像送信装置14の画像インターフェース51に送信する。
【００７７】
画像送信装置１４のＣＰＵ５２はこの画像を受信すると不在モードに設定されたものと判断するため、ＣＰＵ３７に信号を出力する。このとき、ＣＰＵ３７がスイッチ５０を公衆電話回線網４１と回線インターフェース５６を接続する位置に切換える。
【００７８】
これと同時にＣＰＵ52は交換機４を通してＩＳＰ５にダイヤルアップし、画像送信装置14とＩＳＰ５の回線を確立する。
【００７９】
この回線が確立されると、サーバ装置３はＩＳＰ５からＩＰアドレスを取得するため、サーバ装置３では、ＩＰ接続制御手段59がＩＰアドレス（ＵＲＬ）を貼付した電子メールをサービスセンタ６に送信し、サービスセンタ６はこの電子メールを携帯電話７に強制配信する。
【００８０】
これと同時に画像送信装置14はこの画像にTELタグを合成した画像をＧＩＦ形式に変換して指定されたＵＲＬに置いてデータ蓄積部54に蓄積する。
【００８１】
携帯電話７はこの電子メールをパケット通信部69で受信するため、ユーザがこの電子メールを表示部71に表示すると、住宅１に来訪者が来たことを認識し、電子メールに貼付したＵＲＬをクリックしてＵＲＬにアクセスする。
【００８２】
ＵＲＬがアクセスされると、サーバ装置３に画像要求通知が行なわれるため、サーバ装置３はデータ蓄積部54に蓄積された画像を転送する。携帯電話７はこの画像をパケット通信部69で受信してブラウザ70によって表示部71に表示する（図５参照）。
【００８３】
また、サーバ装置３は画像を送信した後、ＩＰ接続を切断してＩＳＰ５との間の回線を切断して回線を開放する。
【００８４】
一方、携帯電話７のユーザは表示部７１に表示された画像を確認して通話を行なうべきか否かを判断し、通話を行なうものと判断したときには、ＴＥＬタグＢをクリックして親機１２を発呼して親機１２と公衆電話網回線を確立し、子機１１と通話を行なう。
【００８５】
このように本実施形態では、住宅１の居住者の不在時に、親機１２から来訪者の来訪情報をインターネットを介して携帯電話７に通知した後、携帯電話７からの画像要求通知に基づいて来訪者の画像を送信した時点でインターネットを介した回線を切断し、その後、表示部７１に表示された親機１２のＴＥＬタグを携帯電話７のキーマトリックス７３でクリックすることにより携帯電話７から着信があったときにインターネットを介さない回線（第２の伝送路）を確立するようにしたため、来訪者を画像で確認した後、簡単な操作で親機１２を介して子機１１と携帯電話７の間で通話を行なうことができる。
【００８６】
また、携帯電話７に来訪者の画像を送信したときに強制的にインターネットを介した回線を切断することができるため、インターネットの接続料金が加算されるのを防止することができる。
【００８７】
この結果、利便性の高い撮像装置付きインターホンシステム、通信方法および携帯電話７を提供することができる。
【００８８】
また、不在モード設定時に来訪者が来たときにサーバ装置３と携帯電話７との間で回線が確立されると、サーバ装置３から携帯電話７にＵＲＬが貼付された来訪者通知による画像取得を知らせる電子メールを送信するようにしたため、来訪者の来訪通知を電子メールによって確実に知らせることができるとともに、携帯電話７のユーザが画像が置いてあるアドレスを簡単に認識して画像要求を行なうことができる。
【００９０】
また、表示部71にＵＲＬが貼付された来訪通知による画像取得を知らせる電子メールが表示されるため、来訪者の来訪通知を電子メールによって確実に知ることができ、ＵＲＬにアクセスすることによって画像要求を簡単に行なうことができる。
【００９１】
図７、図８は本発明に係る撮像装置付きインターホンシステム、撮像装置付きインターホンと携帯通信端末装置の通信方法および携帯通信端末装置の第２実施形態を示す図である。
【００９２】
なお、本実施形態では、サーバ装置３から携帯電話７に送信される来訪者の画像と携帯電話７の表示部に表示される来訪者の画像が第１実施形態と異なるのみでその他の構成は同一であるため、第１実施形態と同様の構成には同一番号を付して説明を省略する。
【００９３】
本実施形態では、携帯電話７からサーバ装置３に画像要求通知を行なったときに、サーバ装置３は指定されたＵＲＬに来訪者の画像、TELタグおよび回線切断用の画像が合成された画像を送信するようになっている。
【００９４】
携帯電話７はパケット通信部69によってこの画像を受信したときに、ブラウザ70上で図７に示すような来訪者の画像Ａ1、TELタグの画像Ｂ1、回線切断用の画像Ｃ1を合成した画像が表示部71に表示されるようになっている。
【００９５】
次に、図８に基づいて本実施形態のシーケンスを説明する。なお、図８において図６と同様のシーケンスについては説明を省略する。
【００９６】
図８において、携帯電話７からサーバ装置３に画像要求通知を行なうと、ＣＰＵ52はデータ蓄積部54に蓄積された画像にTELタグの画像および回線切断用の画像を合成した画像携帯電話７に送信する。
【００９７】
携帯電話７はこの画像をパケット通信部69で受信してブラウザ70によって表示部71に表示する。携帯電話７のユーザは表示部71に図７に示すような画像Ａ1、Ｂ1、Ｃ1が合成された画像を確認し、ブラウザ70上に回線切断用のボタンＣ1をキーマトリックス73を操作してクリックすると、ＩＰ接続を切断してＩＳＰ５との間の回線を切断して回線を開放する。
【００９８】
一方、携帯電話７のユーザは表示部７１に表示された画像を確認して通話を行なうべきか否かを判断し、通話を行なうものと判断したときには、ＴＥＬタグＢ１をクリックして親機１２を発呼して親機１２と公衆電話網回線を確立し、子機１１と通話を行なう。
【００９９】
本実施形態では、サーバ装置３が携帯電話７からの画像要求通知に基づいて携帯電話７に来訪者の画像を送信した後、表示部７１に表示された回線切断用の画像Ｃ１をクリックすることにより、インターネットを介した回線を切断し、回線の切断後に、表示部７１に表示された親機１２のＴＥＬタグをキーマトリックス７３でクリックすることにより携帯電話７と親機１２の間でインターネットを介さない回線を確立するようにしたため、来訪者を画像で確認した後、簡単な操作で子機１１と通話を行なうことができる。
【０１００】
また、画像の確認後に簡単な操作で強制的にインターネットを介した回線を切断することができるため、インターネットの接続料金が加算されるのを防止することができる。
【０１０１】
この結果、利便性の高い撮像装置付きインターホンシステム、通信方法および携帯電話７を提供することができる。なお、本実施形態では、キーマトリックス７３が切断要求通知手段を構成している。
【０１０２】
なお、上記各実施形態では、来訪者の画像の送信後にインターネットを介した回線を切断しているが、この回線の切断は図９に示すシーケンスによって実施しても良い。
【０１０３】
図９において、不在モード設定時に来訪者が来たときに画像送信装置14と携帯電話７との間で回線が確立されると、画像送信装置14から携帯電話７にＵＲＬが貼付された来訪通知による画像取得を知らせる電子メールを送信する。この電子メールの送信後、画像送信装置14はタイマーによって計時し、一定時間経過しても、携帯電話７から画像送信装置14に画像要求通知が行なわれないときに、強制的にインターネットを介して回線を切断するのである。
【０１０４】
このようにすれば、電子メールの送信後に、何等かの理由によって携帯電話７のユーザが画像を確認しなかった場合に、インターネットを介した回線を切断することができるため、インターネットの接続料金が不要に加算されるのを防止することができる。
【０１０５】
なお、タイマーの計時方法としては、電子メールの送信後にサーバ装置３のＣＰＵ52によってタイマーを一定時間、例えば、１分計時するようにすれば良い。
【０１０６】
【発明の効果】
本発明によれば、住宅や事務所等の建物の居住者の不在時に、来訪者端末装置から来訪情報を第１の伝送路を介して携帯通信端末装置に通知した後、携帯通信端末装置からの画像要求通知に基づいて来訪者の画像を送信した時点で第１の伝送路を介した回線を切断し、その後、表示部に表示された来訪者端末装置の電話番号を携帯通信端末装置で選択することにより携帯通信端末と来訪者端末装置との間で第２の伝送路を介した回線を確立するようにしたため、来訪者を画像で確認した後、簡単な操作で来訪者端末装置と通話を行なうことができる。
【０１０７】
また、携帯通信端末装置に来訪者の画像を送信したときに第１の伝送路を介した回線を切断することができるため、インターネット等の接続料金が加算されるのを防止することができる。
【０１０８】
この結果、利便性の高い撮像装置付きインターホンシステムを提供することができる。
【図面の簡単な説明】
【図１】本発明に係る撮像装置付きインターホンシステム、撮像装置付きインターホンと携帯通信端末装置の通信方法および携帯通信端末装置の第１実施形態を示す図であり、そのインターホンシステムの構成図
【図２】第１実施形態のインターホンの構成図
【図３】第１実施形態のサーバ装置の構成図
【図４】第１実施形態の携帯電話の構成図
【図５】第１実施形態に携帯電話に表示される画像を示す図
【図６】第１実施形態の通信方法のシーケンス図
【図７】本発明に係る撮像装置付きインターホンシステム、撮像装置付きインターホンと携帯通信端末装置の通信方法および携帯通信端末装置の第２実施形態を示す図であり、その携帯電話に表示される画像を示す図
【図８】第２実施形態の通信方法のシーケンス図
【図９】他の通信方法のシーケンス図
【符号の説明】
１    住宅（建物）
２    撮像装置付きインターホン
３    サーバ装置
７    携帯電話
１１    子機（来訪者端末装置）
１１ａ    カメラ（撮像手段）
１１ｂ    スピーカー（音声入出力手段）
１１ｃ    マイク（音声入出力手段）
１２    親機（室内端末装置）
１３    アナログ回線アダプタ（サーバ装置）
１４    画像送信装置（サーバ装置）
１５    カメラインターフェース（撮像手段）
１９    画像処理回路（画像出力手段）
２３    操作部（不在設定手段）
２４    ＣＰＵ（画像出力手段）
３１    受話器（音声入出力手段）
４６    音声処理部（通話手段）
５２    ＣＰＵ（画像要求検出手段、来訪者通知手段）
５４    データ蓄積部（画像送信手段）
５６    回線インターフェース（来訪者通知手段、画像送信手段、回線切断手段）
５９    ＩＰ接続制御手段（来訪者通知手段、回線切断手段）
６９    パケット通信部（来訪者通知検出手段、画像取込み手段）
７１    表示部（表示手段）
７２    ＣＰＵ（画像要求通知手段）
７３    キーマトリックス（切断要求通知手段）
【図１】
0004639534.tif 000002
【図２】
0004639534.tif 000003
【図３】
0004639534.tif 000004
【図４】
0004639534.tif 000005
【図５】
0004639534.tif 000006
【図６】
0004639534.tif 000007
【図７】
0004639534.tif 000008
【図８】
0004639534.tif 000009
【図９】
0004639534.tif 000010